【手続補正書】
【提出日】平成19年5月22日(2007.5.22)
【手続補正１】
【補正対象書類名】明細書
【補正対象項目名】発明の名称
【補正方法】変更
【補正の内容】
【発明の名称】テレビジョン信号受信装置、その制御方法及び記録媒体
【手続補正２】
【補正対象書類名】明細書
【補正対象項目名】特許請求の範囲
【補正方法】変更
【補正の内容】
【特許請求の範囲】
【請求項１】  複数のチャンネルに係るテレビジョン信号を受信する受信手段と、
所定のアプリケーションを実行するアプリケーション実行手段と、
前記複数のチャンネル及び前記所定のアプリケーションを実行するチャンネルを切替える順番を規定する切替リストを記憶する記憶部と、
所定の操作入力を受け付ける操作入力手段と、
前記操作入力手段が前記所定の操作入力を受け付けたことに応じて、前記記憶部に記憶された前記切替リストに従って、選択されるチャンネルを切替える制御手段と、を備えるテレビジョン信号受信装置。
【請求項２】  前記アプリケーション実行手段は、前記所定のアプリケーションを実行した場合に、前記所定のアプリケーションを実行するチャンネルを前記切替リストに登録する、請求項１に記載のテレビジョン信号受信装置。
【請求項３】  前記アプリケーション実行手段は、前記所定のアプリケーションを実行するチャンネルが前記切替リストに登録されてから所定時間経過したことに応じて、前記所定のアプリケーションを実行するチャンネルを前記切替リストから削除する、請求項２に記載のテレビジョン信号受信装置。
【請求項４】  前記アプリケーション実行手段は、前記所定のアプリケーションの実行が終了したことに応じて、前記所定のアプリケーションを実行するチャンネルを前記切替リストから削除する、請求項１に記載のテレビジョン信号受信装置。
【請求項５】  さらに、前記テレビジョン信号受信装置に外部記録媒体を接続するための接続手段を備え、
前記アプリケーション実行手段は、前記テレビジョン信号受信装置に前記外部記録媒体が接続されたことに応じて、前記所定のアプリケーションを実行するチャンネルを前記切替リストに登録する、請求項１に記載のテレビジョン信号受信装置。
【請求項６】  前記アプリケーション実行手段は、前記テレビジョン信号受信装置に前記外部記録媒体が非接続にされたことに応じて、前記所定のアプリケーションを実行するチャンネルを前記切替リストから削除する、請求項５に記載のテレビジョン信号受信装置。
【請求項７】  テレビジョン信号を受信する受信手段と、
所定のアプリケーションを実行するアプリケーション実行手段と、
テレビジョン信号受信装置に外部記録媒体を接続するための接続手段と、
前記テレビジョン信号受信装置に前記外部記録媒体が接続されたときに、視聴中の番組が視聴予約された番組でない場合は、前記アプリケーション実行手段に前記所定のアプリケーションを実行させ、視聴中の番組が視聴予約された番組である場合は、前記アプリケーション実行手段に前記所定のアプリケーションを実行させないように制御する制御手段と、を備えるテレビジョン信号受信装置。
【請求項８】  テレビジョン信号を受信する受信手段と、
複数の画像が格納された記憶部と、
前記複数の画像を縮小した画像の一覧、又は前記複数の画像のうちの選択された画像を表示部に表示させるアプリケーションを実行するアプリケーション実行手段と、
互いに異なる機能の実行を指示する複数のボタンを含む操作入力手段と、
前記表示部に前記複数の画像を縮小した画像の一覧が表示されている場合は、前記複数のボタンに対応し、かつ前記縮小した画像に対応する機能の実行を指示する複数のアイコンを前記表示部に表示させ、前記表示部に前記選択された画像が表示されている場合は、前記複数のボタンに対応し、かつ前記選択された画像に対応する機能の実行を指示する複数のアイコンを前記表示部に表示させる制御手段と、を備えるテレビジョン信号受信装置。
【請求項９】  複数のチャンネルに係るテレビジョン信号を受信するテレビジョン信号受信装置の制御方法であって、
所定のアプリケーションを実行するアプリケーション実行ステップと、
前記複数のチャンネル及び前記所定のアプリケーションを実行するチャンネルを切替える順番を規定する切替リストを記憶する記憶ステップと、
所定の操作入力を受け付ける操作入力ステップと、
前記操作入力ステップで前記所定の操作入力を受け付けたことに応じて、前記記憶ステップで記憶された前記切替リストに従って、選択されるチャンネルを切替える制御ステップと、を備える制御方法。
【請求項１０】  さらに、前記アプリケーション実行ステップで前記所定のアプリケーションを実行した場合に、前記所定のアプリケーションを実行するチャンネルを前記切替リストに登録する登録ステップを備える、請求項９に記載の制御方法。
【請求項１１】  さらに、前記所定のアプリケーションを実行するチャンネルが前記切替リストに登録されてから所定時間経過したことに応じて、前記所定のアプリケーションを実行するチャンネルを前記切替リストから削除する削除ステップを備える、請求項１０に記載の制御方法。
【請求項１２】  さらに、前記所定のアプリケーションの実行が終了したことに応じて、前記所定のアプリケーションを実行するチャンネルを前記切替リストから削除する削除ステップを備える、請求項９に記載の制御方法。
【請求項１３】  さらに、前記テレビジョン信号受信装置に外部記録媒体が接続されたことに応じて、前記所定のアプリケーションを実行するチャンネルを前記切替リストに登録する登録ステップを備える、請求項９に記載の制御方法。
【請求項１４】  さらに、前記テレビジョン信号受信装置に前記外部記録媒体が非接続にされたことに応じて、前記所定のアプリケーションを実行するチャンネルを前記切替リストから削除する削除ステップを備える、請求項１３に記載の制御方法。
【請求項１５】  テレビジョン信号を受信するテレビジョン信号受信装置の制御方法であって、
所定のアプリケーションを実行するアプリケーション実行ステップと、
前記テレビジョン信号受信装置に外部記録媒体を接続する接続ステップと、
前記接続ステップで前記テレビジョン信号受信装置に前記外部記録媒体が接続されたときに、視聴中の番組が視聴予約された番組でない場合は、前記アプリケーション実行ステップで前記所定のアプリケーションを実行させ、視聴中の番組が視聴予約された番組である場合は、前記アプリケーション実行ステップで前記所定のアプリケーションを実行させないように制御する制御ステップと、を備える制御方法。
【請求項１６】  テレビジョン信号を受信するテレビジョン信号受信装置の制御方法であって、
複数の画像を縮小した画像の一覧、又は前記複数の画像のうちの選択された画像を表示部に表示させるアプリケーションを実行するアプリケーション実行ステップと、
互いに異なる機能の実行を指示する複数のボタンの操作入力を受け付ける操作入力ステップと、
前記表示部に前記複数の画像を縮小した画像の一覧が表示されている場合は、前記複数のボタンに対応し、かつ前記縮小した画像に対応する機能の実行を指示する複数のアイコンを前記表示部に表示させ、前記表示部に前記選択された画像が表示されている場合は、前記複数のボタンに対応し、かつ前記選択された画像に対応する機能の実行を指示する複数のアイコンを前記表示部に表示させる制御ステップと、を備える制御方法。
【請求項１７】  請求項９から請求項１６までのいずれか一項に記載の制御方法の各ステップをコンピュータに実行させるためのプログラムを記録したコンピュータ読み取り可能な記録媒体。
【手続補正３】
【補正対象書類名】明細書
【補正対象項目名】００１０
【補正方法】変更
【補正の内容】
【００１０】
【課題を解決するための手段】
本発明に係るテレビジョン信号受信装置は、複数のチャンネルに係るテレビジョン信号を受信する受信手段と、所定のアプリケーションを実行するアプリケーション実行手段と、複数のチャンネル及び所定のアプリケーションを実行するチャンネルを切替える順番を規定する切替リストを記憶する記憶部と、所定の操作入力を受け付ける操作入力手段と、操作入力手段が所定の操作入力を受け付けたことに応じて、記憶部に記憶された切替リストに従って、選択されるチャンネルを切替える制御手段とを備える。
【手続補正４】
【補正対象書類名】明細書
【補正対象項目名】００１１
【補正方法】変更
【補正の内容】
【００１１】
本発明に係る他のテレビジョン信号受信装置は、テレビジョン信号を受信する受信手段と、所定のアプリケーションを実行するアプリケーション実行手段と、テレビジョン信号受信装置に外部記録媒体を接続するための接続手段と、テレビジョン信号受信装置に外部記録媒体が接続されたときに、視聴中の番組が視聴予約された番組でない場合は、アプリケーション実行手段に所定のアプリケーションを実行させ、視聴中の番組が視聴予約された番組である場合は、アプリケーション実行手段に所定のアプリケーションを実行させないように制御する制御手段とを備える。
【手続補正５】
【補正対象書類名】明細書
【補正対象項目名】００１２
【補正方法】変更
【補正の内容】
【００１２】
本発明に係るさらに他のテレビジョン信号受信装置は、テレビジョン信号を受信する受信手段と、複数の画像が格納された記憶部と、複数の画像を縮小した画像の一覧、又は複数の画像のうちの選択された画像を表示部に表示させるアプリケーションを実行するアプリケーション実行手段と、互いに異なる機能の実行を指示する複数のボタンを含む操作入力手段と、表示部に複数の画像を縮小した画像の一覧が表示されている場合は、複数のボタンに対応し、かつ縮小した画像に対応する機能の実行を指示する複数のアイコンを表示部に表示させ、表示部に選択された画像が表示されている場合は、複数のボタンに対応し、かつ選択された画像に対応する機能の実行を指示する複数のアイコンを表示部に表示させる制御手段とを備える。
【手続補正６】
【補正対象書類名】明細書
【補正対象項目名】００１３
【補正方法】変更
【補正の内容】
【００１３】
本発明に係るテレビジョン信号受信装置の制御方法は、複数のチャンネルに係るテレビジョン信号を受信するテレビジョン信号受信装置の制御方法であって、所定のアプリケーションを実行するアプリケーション実行ステップと、複数のチャンネル及び所定のアプリケーションを実行するチャンネルを切替える順番を規定する切替リストを記憶する記憶ステップと、所定の操作入力を受け付ける操作入力ステップと、操作入力ステップで所定の操作入力を受け付けたことに応じて、記憶ステップで記憶された切替リストに従って、選択されるチャンネルを切替える制御ステップとを備える。
【手続補正７】
【補正対象書類名】明細書
【補正対象項目名】００１４
【補正方法】変更
【補正の内容】
【００１４】
本発明に係る記録媒体は、上記制御方法の各ステップをコンピュータに実行させるためのプログラムを記録したコンピュータ読み取り可能な記録媒体である。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】０１００
【補正方法】変更
【補正の内容】
【０１００】
【発明の効果】
以上説明したように、本発明によれば、テレビ番組の再生だけでなく、さまざまなアプリケーション機能を有したテレビジョン信号受信装置におけるユーザーインターフェースを改善し、ユーザーの所望の情報選択や操作を単純かつ容易な操作で実現することができる。